(57)【要約】【課題】独立した駆動用モーターを備えることなく十分な浮上油回収作業を行なうことができ、しかも、駆動用モーター自体及びそのメンテナンス等のコストを削減できる、切削液の濾過装置における浮上油回収機構を提供することを課題とする。【解決手段】濾過槽１内のドラムフィルター３の回転を以て浮上油回収手段の回転駆動源とすることを特徴とする。通例、前記浮上油回収手段は、ベルト９又はディスクであり、ディスクの場合には直接ドラムフィルターに取り付けることもできる。【選択図】図１
2005034943.tif 000002
【特許請求の範囲】
【請求項１】
濾過槽内のドラムフィルターの回転を以て浮上油回収手段の回転駆動源とすることを特徴とする切削液の濾過装置における浮上油回収機構。
【請求項２】
前記浮上油回収手段がベルトである請求項１に記載の切削液の濾過装置における浮上油回収機構。
【請求項３】
前記浮上油回収手段がディスクである請求項１に記載の切削液の濾過装置における浮上油回収機構。
【請求項４】
前記ディスクが直接前記ドラムフィルターの一端面に取り付けられる請求項３に記載の切削液の濾過装置における浮上油回収機構。
【発明の詳細な説明】
【技術分野】
【０００１】
本発明は、切削液の濾過装置における浮上油回収機構、より詳細には、マシニングセンター等による金属の切削作業において排出される切粉を含んだ切削液を濾過する装置に付設される浮上油回収機構に関するものである。
【背景技術】
【０００２】
切削液の濾過装置としてはドラムフィルタータイプのものが一般的で、これは、一端にマシニングセンターからの切粉を含んだ切削液の導入口５２を形成すると共に、他端に斜め立上り部５３を設けてその先端部に下向きのスラッジ排出口５４を形成した濾過槽５１を設け、濾過槽５１内に、導入口５２の下側からスラッジ排出口５４にまで延びる、スクレーパーを適宜間隔置きに取り付けたコンベアを配置し、また、斜め立上り部５３の基端部に、ドラムフィルター５５を回転可能に軸支させて成る。
【０００３】
濾過槽５１の一側部には濾過液タンク５６が連設され、そこに、濾過槽５１内においてドラムフィルター５５を経て濾過された濾過液５７が流入して貯溜される。濾過液５７には若干のオイル分が含有されていて、それが濾過液タンク５６内において浮上する。そこで濾過液タンク５６には、この浮上油を回収するための浮上油回収装置５８が設置される。
【０００４】
浮上油回収装置５８としては、図６に示すベルトタイプか、図７に示すディスクタイプのものが用いられ、ベルト６０又はディスク６１によって液面から回収された浮上油は、油水分離タンク６２に収集される。これらの浮上油回収装置５８は何れも１つの独立した装置であって、それぞれ独立したベルト６０の循環駆動用、あるいは、ディスク６１の回転駆動用のモーター５９を備える。
【特許文献１】特開２００１−７９７３０
【発明の開示】
【発明が解決しようとする課題】
【０００５】
上述したように従来の濾過液タンクに設置される浮上油回収装置は、何れも独立した駆動用モーターを備えるため、その分コストがかかり、また、メンテナンス等の手間がかかる。
【０００６】
本発明は、このような従来の浮上油回収装置における問題点を解決するためになされたものであって、独立した駆動用モーターを備えることなく十分な浮上油回収作業を行なうことができ、しかも、駆動用モーター自体及びそのメンテナンス等のコストを削減できる、切削液の濾過装置における浮上油回収機構を提供することを課題とする。
【課題を解決するための手段】
【０００７】
上記課題を解決するための本発明に係る切削液の濾過装置における浮上油回収機構は、濾過槽内のドラムフィルターの回転を以て浮上油回収手段の回転駆動源とすることを特徴とする。
【０００８】
通例、前記浮上油回収手段は、ベルト又はディスクであり、ディスクの場合には直接ドラムフィルターに取り付けることもできる。
【発明の効果】
【０００９】
上記構成の本発明に係る浮上油回収機構によれば、浮上油回収手段の回転駆動源として、ドラムフィルターの回転が用いられるため、浮上油回収機構に独立した駆動用モーターが不要となり、その分の設置コスト及びメンテナンスコストを削減することが可能となる。
【発明を実施するための最良の形態】
【００１０】
本発明の好ましい実施の形態について説明する。図１に示す実施の形態は、浮上油回収手段としてベルトを用いるものである。図中１は濾過槽で、図示してない端部に、切粉を含んだ切削液の導入口が設置される。また、その他端に斜め立上り部２が連設され、その図示していない上端部に、下向きのスラッジ排出口が形成される。以上の点、並びに、濾過槽１から斜め立上り部２にかけて、適宜間隔置きにスクレーパを備えたコンベアを循環させ、また、斜め立上り部２の基端部にドラムフィルター３を設置して切削液を濾過させる点は、従来のものと特に変わりはない。
【００１１】
４は、ドラムフィルター３で濾過されてその内側から排出される濾過液を貯溜する濾過液タンクで、その上面に、浮上油回収機構５が設置される。浮上油回収機構５は、濾過液タンク４上面に設置されるスタンド（図示してない）に軸支される駆動軸６と、駆動軸６に固定される駆動輪７と濾過液中において軸支される従動輪８間に渡されるベルト９と、ベルト９に接して回収した浮上油を回収ボックス１１に回収するスクレーパ１０とから成る。
【００１２】
以上の基本的構成及びその作用は、従来の浮上油回収装置と変わらないが、本発明に係る機構においては、駆動軸６の回転駆動源として、ドラムフィルター３の回転を利用する。
【００１３】
即ち、ドラムフィルター３の端部、あるいは、端部の中心に取り付けた軸を斜め立上り部２の側壁から露出させ、そこに、出力手段１２を設置する。通例、出力手段１２としては、プーリー、スプロケット又はギアが用いられる。一方、駆動軸６に、出力手段１２に対応するプーリ、スプロケット又はギアで構成される入力手段１３が固定される。かくしてドラムフィルター３の回転が、出力手段１２及び入力手段１３を介して駆動軸６の回転動力として伝達され、以てベルト９が循環駆動される。
【００１４】
図２乃至図５は、浮上油回収手段としてディスク１５を用いる実施形態を示しており、そこにおいて図１と同一の符号は共通の構成を示している。
【００１５】
図２に示す実施形態は、出力手段１２からの回転出力を入力手段１３で受け、濾過液タンク４上に回転自在に設置されたディスク１５を回転駆動するものであり、スクレーパ１０ａは、ディスク１５を挟むように接する形状のものとされる。
【００１６】
図３に示す実施形態は、出力手段１２ａに適宜ギア列を配することにより、ディスク１５の回転数を調整可能にしたものである。
【００１７】
図４及び図５に示す実施形態は、ドラムフィルター３を濾過液タンク４内にまで延長し、その端面に直接ディスク１５を取り付けたものである。この場合は、ドラムフィルター３とディスク１５は、一体となって回転する。
【図面の簡単な説明】
【００１８】
【図１】本発明に係る浮上油回収機構の第１の実施形態を示す斜視図である。
【図２】本発明に係る浮上油回収機構の第２の実施形態を示す斜視図である。
【図３】本発明に係る浮上油回収機構の第３の実施形態を示す斜視図である。
【図４】本発明に係る浮上油回収機構の第４の実施形態を示す斜視図である。
【図５】本発明に係る浮上油回収機構の第４の実施形態を示す縦断面図である。
【図６】従来の浮上油回収機構の構成例を示す図である。
【図７】従来の浮上油回収機構の他の構成例を示す図である。
【符号の説明】
【００１９】
１    濾過槽
２    立上り部
３    ドラムフィルター
４    濾過液タンク
５    浮上油回収機構
６    駆動軸
７    駆動輪
８    従動輪
９    ベルト
１０    スクレーパ
１０ａ  スクレーパ
１１    回収ボックス
１２    出力手段
１２ａ  出力手段
１３    入力手段
１５    ディスク
【図１】
2005034943.tif 000003
【図２】
2005034943.tif 000004
【図３】
2005034943.tif 000005
【図４】
2005034943.tif 000006
【図５】
2005034943.tif 000007
【図６】
2005034943.tif 000008
【図７】
2005034943.tif 000009